(57)【要約】【課題】  一度に多くの調理対象物を焼くことができるとともに、容易に洗浄することのできる電気ロースターを提供すること。【解決手段】  本発明の電気ロースター１は、下段ヒーター６を有する下段ユニット２と、中段ヒーター１６を有する中段ユニット３と、上段ヒーター２０を有する上段ユニット４とを備える。中段ユニット３は、下段ユニット２の上側に、１段または複数段、着脱自在に設置される。上段ユニット４は、中段ユニット３の上側に、着脱自在に設置される。各段のユニットの間に置かれた調理対象物を、該調理対象物の上下のユニットのヒーターによって上下両面から加熱可能である。【選択図】      図１
2006320547.tif 000002
【特許請求の範囲】
【請求項１】
下段ヒーターを有する下段ユニットと、
中段ヒーターを有し、前記下段ユニットの上側に、１段または複数段、着脱自在に設置される中段ユニットと、
上段ヒーターを有し、前記中段ユニットの上側に、着脱自在に設置される上段ユニットと、
を備え、
各段のユニットの間に置かれた調理対象物を、該調理対象物の上下のユニットのヒーターによって上下両面から加熱可能であることを特徴とする電気ロースター。
【請求項２】
前記中段ユニットおよび前記上段ユニットを支持するとともに、導線を内蔵した支柱を備え、
前記下段ユニットから前記導線を介して前記中段ヒーターおよび前記上段ヒーターに電力が供給されることを特徴とする請求項１記載の電気ロースター。
【請求項３】
前記下段ユニットおよび前記中段ユニットには、それぞれ、串焼きの串を保持する切欠き部が設けられていることを特徴とする請求項１または２記載の電気ロースター。
【請求項４】
前記下段ユニットおよび前記中段ユニットは、それぞれ、本体と、該本体よりも熱伝導率の低い材料で構成された断熱部とを有し、
前記切欠き部は、前記断熱部に形成されていることを特徴とする請求項３記載の電気ロースター。
【発明の詳細な説明】
【技術分野】
【０００１】
この発明は、電気ロースターに関する。
【背景技術】
【０００２】
従来、電熱ヒーターによって調理対象物を焼く電気ロースターが広く用いられている。卓上等で電気ロースターを用いる場合には、占有面積が小さいことが望ましい。その一方で、一度にたくさんの調理対象物を焼きたいという要望もある。
【０００３】
実開平３−８０２０５号公報には、小さな占有面積で一度に多くの調理対象物を焼くべく、上ヒータ、中ヒータおよび下ヒータを設け、上ヒータと中ヒータとの間と、中ヒータと下ヒータとの間との２段に調理対象物を入れられるようにした電気ロースターが開示されている。
【０００４】
【特許文献１】実開平３−８０２０５号公報
【発明の開示】
【発明が解決しようとする課題】
【０００５】
しかしながら、上記公報に開示された電気ロースターでは、上ヒータ、中ヒータおよび下ヒータが一つの筐体に設置されて一体化しているために、洗浄がしにくい。このため、汚れを十分に落とすためには多大な手間と時間を要するという問題がある。
【０００６】
この発明は、上述のような課題を解決するためになされたもので、一度に多くの調理対象物を焼くことができるとともに、容易に洗浄することのできる電気ロースターを提供することを目的とする。
【課題を解決するための手段】
【０００７】
第１の発明は、上記の目的を達成するため、電気ロースターであって、
下段ヒーターを有する下段ユニットと、
中段ヒーターを有し、前記下段ユニットの上側に、１段または複数段、着脱自在に設置される中段ユニットと、
上段ヒーターを有し、前記中段ユニットの上側に、着脱自在に設置される上段ユニットと、
を備え、
各段のユニットの間に置かれた調理対象物を、該調理対象物の上下のユニットのヒーターによって上下両面から加熱可能であることを特徴とする。
【０００８】
また、第２の発明は、第１の発明において、
前記中段ユニットおよび前記上段ユニットを支持するとともに、導線を内蔵した支柱を備え、
前記下段ユニットから前記導線を介して前記中段ヒーターおよび前記上段ヒーターに電力が供給されることを特徴とする。
【０００９】
また、第３の発明は、第１または第２の発明において、
前記下段ユニットおよび前記中段ユニットには、それぞれ、串焼きの串を保持する切欠き部が設けられていることを特徴とする。
【００１０】
また、第４の発明は、第３の発明において、
前記下段ユニットおよび前記中段ユニットは、それぞれ、本体と、該本体よりも熱伝導率の低い材料で構成された断熱部とを有し、
前記切欠き部は、前記断熱部に形成されていることを特徴とする。
【発明の効果】
【００１１】
第１の発明によれば、下段ユニットと中段ユニットとにそれぞれ調理対象物を載せて焼くことができる。このため、少ない占有面積で一度に多くの調理対象物を焼くことができる。更に、調理対象物の上下にそれぞれヒーターが位置するので、調理対象物を上下両面から加熱することができるため、焼いている途中で調理対象物を裏返す必要がない。また、複数の中段ユニットを用意しておき、必要に応じて中段ユニットの段数を増やして使用することにより、より多くの調理対象物を一度に焼くことができる。そして、使用後に洗浄する場合には、下段ユニット、中段ユニット、上段ユニットの各段に容易に分解することができるので、洗浄を容易に行うことができる。また、非使用時にも、各段毎に収納することができるので、狭いスペースにも収納することができる。
【００１２】
第２の発明によれば、下段ユニットの上に中段ユニットおよび上段ユニットを組み立てるだけで、中段ヒーターおよび上段ヒーターに電力を供給可能な状態となるので、使い勝手が良い。
【００１３】
第３の発明によれば、焼き鳥その他の串焼きをする場合、切欠き部に串を挿入することにより、串に刺した調理対象物を安定して保持することができる。
【００１４】
第４の発明によれば、切欠き部に置いた串に熱が伝わりにくくすることができるので、串が手で持てないほどに熱くなるのを有効に防止することができる。
【発明を実施するための最良の形態】
【００１５】
以下、図面を参照してこの発明の実施の形態について説明する。
図１は、本発明の電気ロースターの実施の形態を示す分解斜視図である。図１に示す電気ロースター１は、焼き鳥その他の調理対象物を焼くための装置である。この電気ロースター１は、下段ユニット２と、中段ユニット３と、上段ユニット４とを有している。
【００１６】
下段ユニット２は、略長方形の本体５と、本体５に設置された下段ヒーター６と、下段ヒーター６の上側に設置された焼き網７とを有している。また、本体５には、電源スイッチ８と、加熱量を調節するための調節ツマミ９とが設けられている。本体５の内部には、電源スイッチ８および調節ツマミ９の操作状態に基づいて電気ロースター１を制御する回路基板１０が設置されている。更に、本体５には、コンセントに接続するための電源プラグ１１を備えた電源コード１２が接続されている。
【００１７】
また、下段ユニット２は、下段ヒーター６の下側に、水皿１３を有している。電気ロースター１の使用時には、水を入れた水皿１３によって、調理対象物から垂れ落ちる油や肉汁を受ける。水皿１３は、図中で手前側に引き出すことにより、本体５から取り外せるようになっている。
【００１８】
また、下段ユニット２には、串焼きの串を保持するための切欠き部１４が設けられている。切欠き部１４は、焼き網７を囲む四辺の縁部のうちの長い方の二辺の縁部にそれぞれ所定間隔で複数形成されている。焼き鳥その他の串焼きをする場合には、この切欠き部１４に串を挿入することにより、串に刺した調理対象物を安定して保持することができる。
【００１９】
中段ユニット３は、下段ユニット２の上側に着脱自在に設置される。中段ユニット３は、略長方形の枠状の本体１５と、本体１５に設置された中段ヒーター１６と、中段ヒーター１６の上側に設置された焼き網１７とを有している。
【００２０】
中段ユニット３には、下段ユニット２の切欠き部１４と同様の切欠き部１８が設けられている。切欠き部１８は、焼き網１７を囲む四辺の縁部のうちの長い方の二辺の縁部にそれぞれ所定間隔で複数形成されている。
【００２１】
上段ユニット４は、中段ユニット３の上側に着脱自在に設置される。上段ユニット４は、略長方形の本体１９と、本体１９に設置された上段ヒーター２０とを有している。
【００２２】
中段ユニット３および上段ユニット４は、それぞれ、四隅に配置された支柱２１によって、その下の段のユニットに対して支持される。この支柱２１は、各段のユニットの間において分割可能になっている。支柱２１の分割片の各々は、各段のユニットの本体５，１５または１９に固着されている。図１は、支柱２１が分割された状態を示している。図１に示す状態から、中段ユニット３および上段ユニット４を下降させて、分割状態の支柱２１を結合させることにより、電気ロースター１が組み立て状態となる。
【００２３】
四隅の支柱２１のうち、図中で左側の二組の支柱２１には、導線２２が内蔵されている。この導線２２は、下段ユニット２内では回路基板１０に接続され、中段ユニット３内では中段ヒーター１６に接続され、上段ユニット４内では上段ヒーター２０に接続されている。導線２２を内蔵した支柱２１においては、分割状態の支柱２１を結合するのに伴って、それらの内部の導線２２も接続されるようになっている。このような構成により、電気ロースター１の組み立て状態においては、導線２２を介して下段ユニット２から中段ヒーター１６および上段ヒーター２０に電力を供給することができる。
【００２４】
このような電気ロースター１によれば、下段ユニット２と中段ユニット３とにそれぞれ調理対象物を載せて焼くことができる。このため、少ない占有面積で一度に多くの調理対象物を焼くことができるので、卓上等の狭いスペースで使用する場合に有利である。
【００２５】
更に、調理対象物の上下にそれぞれヒーターが位置するので、調理対象物を上下両面から加熱することができる。このため、焼いている途中で調理対象物を裏返す必要がないので、使い勝手が良い。
【００２６】
また、図１においては中段ユニット３の段数を１段としているが、この電気ロースター１では、下段ユニット２と上段ユニット４との間に、中段ユニット３を複数段重ねることもできる。よって、複数の中段ユニット３を用意しておけば、必要に応じて中段ユニット３の段数を増やして使用することにより、より多くの調理対象物を一度に焼くことができる。
【００２７】
そして、使用後に洗浄する場合には、下段ユニット２、中段ユニット３、上段ユニット４の各段に容易に分解することができるので、洗浄を容易に行うことができる。また、非使用時にも、各段毎に収納することができるので、狭いスペースにも収納することができる。
【００２８】
本実施形態では、下段ユニット２および中段ユニット３の切欠き部１４，１８は、それぞれ、本体５，１５とは別部材で構成された断熱部２３，２４に形成されている。断熱部２３，２４は、本体５，１５の構成材料（例えば金属材料）よりも、熱伝導率の低い材料（例えば石材、セラミックス等）で構成されている。これにより、切欠き部１４，１８に置いた串に熱が伝わりにくくすることができる。よって、串が手で持てないほどに熱くなるのを有効に防止することができる。
【００２９】
また、本実施形態では、焼き網７，１７を設けたことにより、焼き網７，１７の上に魚や塊肉などを載せて焼くこともできる。また、串焼きをする場合に、串が切欠き部１４，１８から外れても、串に刺した調理対象物が下の段に落下するのを防止することもできる。本発明では、この焼き網７，１７は無くてもよい。
【００３０】
また、本実施形態では、下段ヒーター６、中段ヒーター１６および上段ヒーター２０は、いずれもＵ字状をなしているが、本発明ではこのような形状に限定されるものではない。例えば、これらのヒーターは、真っ直ぐな形状、四角形、波形などいかなる形状でもよい。また、各段のヒーターの形状が異なっていてもよい。
【図面の簡単な説明】
【００３１】
【図１】本発明の電気ロースターの実施の形態を示す分解斜視図である。
【符号の説明】
【００３２】
１    電気ロースター
２    下段ユニット
３    中段ユニット
４    上段ユニット
５    本体
６    下段ヒーター
１４  切欠き部
１５  本体
１６  中段ヒーター
１８  切欠き部
２０  上段ヒーター
２１  支柱
２２  導線
２３，２４  断熱部
【図１】
2006320547.tif 000003
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
本体と、ヒーターと、前記本体よりも熱伝導率の低い材料で構成された断熱部とを有し、
串焼きの串を保持する切欠き部が前記断熱部に形成されていることを特徴とする電気ロースター。
【請求項２】
下段ヒーターを有する下段ユニットと、
中段ヒーターを有し、前記下段ユニットの上側に、１段または複数段、着脱自在に設置される中段ユニットと、
上段ヒーターを有し、前記中段ユニットの上側に、着脱自在に設置される上段ユニットと、
を備え、
各段のユニットの間に置かれた調理対象物を、該調理対象物の上下のユニットのヒーターによって上下両面から加熱可能であることを特徴とする請求項１記載の電気ロースター。
【請求項３】
前記中段ユニットおよび前記上段ユニットを支持するとともに、導線を内蔵した支柱を備え、
前記下段ユニットから前記導線を介して前記中段ヒーターおよび前記上段ヒーターに電力が供給されることを特徴とする請求項２記載の電気ロースター。
【手続補正２】
【補正対象書類名】明細書
【補正対象項目名】全文
【補正方法】変更
【補正の内容】
【発明の詳細な説明】
【技術分野】
【０００１】
この発明は、電気ロースターに関する。
【背景技術】
【０００２】
従来、電熱ヒーターによって調理対象物を焼く電気ロースターが広く用いられている。卓上等で電気ロースターを用いる場合には、占有面積が小さいことが望ましい。その一方で、一度にたくさんの調理対象物を焼きたいという要望もある。
【０００３】
実開平３−８０２０５号公報には、小さな占有面積で一度に多くの調理対象物を焼くべく、上ヒータ、中ヒータおよび下ヒータを設け、上ヒータと中ヒータとの間と、中ヒータと下ヒータとの間との２段に調理対象物を入れられるようにした電気ロースターが開示されている。
【０００４】
【特許文献１】実開平３−８０２０５号公報
【発明の開示】
【発明が解決しようとする課題】
【０００５】
しかしながら、上記公報に開示された電気ロースターでは、上ヒータ、中ヒータおよび下ヒータが一つの筐体に設置されて一体化しているために、洗浄がしにくい。このため、汚れを十分に落とすためには多大な手間と時間を要するという問題がある。
【０００６】
この発明は、串が手で持てないほどに熱くなるのを有効に防止することのできる電気ロースターを提供することを目的とする。
【課題を解決するための手段】
【０００７】
第１の発明は、上記の目的を達成するため、電気ロースターであって、
本体と、ヒーターと、前記本体よりも熱伝導率の低い材料で構成された断熱部とを有し、
串焼きの串を保持する切欠き部が前記断熱部に形成されていることを特徴とする。
【０００８】
また、第２の発明は、第１の発明において、
下段ヒーターを有する下段ユニットと、
中段ヒーターを有し、前記下段ユニットの上側に、１段または複数段、着脱自在に設置される中段ユニットと、
上段ヒーターを有し、前記中段ユニットの上側に、着脱自在に設置される上段ユニットと、
を備え、
各段のユニットの間に置かれた調理対象物を、該調理対象物の上下のユニットのヒーターによって上下両面から加熱可能であることを特徴とする。
【０００９】
また、第３の発明は、第２の発明において、
前記中段ユニットおよび前記上段ユニットを支持するとともに、導線を内蔵した支柱を備え、
前記下段ユニットから前記導線を介して前記中段ヒーターおよび前記上段ヒーターに電力が供給されることを特徴とする。
【発明の効果】
【００１０】
第１の発明によれば、切欠き部に置いた串に熱が伝わりにくくすることができるので、串が手で持てないほどに熱くなるのを有効に防止することができる。
【００１１】
第２の発明によれば、下段ユニットと中段ユニットとにそれぞれ調理対象物を載せて焼くことができる。このため、少ない占有面積で一度に多くの調理対象物を焼くことができる。更に、調理対象物の上下にそれぞれヒーターが位置するので、調理対象物を上下両面から加熱することができるため、焼いている途中で調理対象物を裏返す必要がない。また、複数の中段ユニットを用意しておき、必要に応じて中段ユニットの段数を増やして使用することにより、より多くの調理対象物を一度に焼くことができる。そして、使用後に洗浄する場合には、下段ユニット、中段ユニット、上段ユニットの各段に容易に分解することができるので、洗浄を容易に行うことができる。また、非使用時にも、各段毎に収納することができるので、狭いスペースにも収納することができる。
【００１２】
第３の発明によれば、下段ユニットの上に中段ユニットおよび上段ユニットを組み立てるだけで、中段ヒーターおよび上段ヒーターに電力を供給可能な状態となるので、使い勝手が良い。
【発明を実施するための最良の形態】
【００１３】
以下、図面を参照してこの発明の実施の形態について説明する。
図１は、本発明の電気ロースターの実施の形態を示す分解斜視図である。図１に示す電気ロースター１は、焼き鳥その他の調理対象物を焼くための装置である。この電気ロースター１は、下段ユニット２と、中段ユニット３と、上段ユニット４とを有している。
【００１４】
下段ユニット２は、略長方形の本体５と、本体５に設置された下段ヒーター６と、下段ヒーター６の上側に設置された焼き網７とを有している。また、本体５には、電源スイッチ８と、加熱量を調節するための調節ツマミ９とが設けられている。本体５の内部には、電源スイッチ８および調節ツマミ９の操作状態に基づいて電気ロースター１を制御する回路基板１０が設置されている。更に、本体５には、コンセントに接続するための電源プラグ１１を備えた電源コード１２が接続されている。
【００１５】
また、下段ユニット２は、下段ヒーター６の下側に、水皿１３を有している。電気ロースター１の使用時には、水を入れた水皿１３によって、調理対象物から垂れ落ちる油や肉汁を受ける。水皿１３は、図中で手前側に引き出すことにより、本体５から取り外せるようになっている。
【００１６】
また、下段ユニット２には、串焼きの串を保持するための切欠き部１４が設けられている。切欠き部１４は、焼き網７を囲む四辺の縁部のうちの長い方の二辺の縁部にそれぞれ所定間隔で複数形成されている。焼き鳥その他の串焼きをする場合には、この切欠き部１４に串を挿入することにより、串に刺した調理対象物を安定して保持することができる。
【００１７】
中段ユニット３は、下段ユニット２の上側に着脱自在に設置される。中段ユニット３は、略長方形の枠状の本体１５と、本体１５に設置された中段ヒーター１６と、中段ヒーター１６の上側に設置された焼き網１７とを有している。
【００１８】
中段ユニット３には、下段ユニット２の切欠き部１４と同様の切欠き部１８が設けられている。切欠き部１８は、焼き網１７を囲む四辺の縁部のうちの長い方の二辺の縁部にそれぞれ所定間隔で複数形成されている。
【００１９】
上段ユニット４は、中段ユニット３の上側に着脱自在に設置される。上段ユニット４は、略長方形の本体１９と、本体１９に設置された上段ヒーター２０とを有している。
【００２０】
中段ユニット３および上段ユニット４は、それぞれ、四隅に配置された支柱２１によって、その下の段のユニットに対して支持される。この支柱２１は、各段のユニットの間において分割可能になっている。支柱２１の分割片の各々は、各段のユニットの本体５，１５または１９に固着されている。図１は、支柱２１が分割された状態を示している。図１に示す状態から、中段ユニット３および上段ユニット４を下降させて、分割状態の支柱２１を結合させることにより、電気ロースター１が組み立て状態となる。
【００２１】
四隅の支柱２１のうち、図中で左側の二組の支柱２１には、導線２２が内蔵されている。この導線２２は、下段ユニット２内では回路基板１０に接続され、中段ユニット３内では中段ヒーター１６に接続され、上段ユニット４内では上段ヒーター２０に接続されている。導線２２を内蔵した支柱２１においては、分割状態の支柱２１を結合するのに伴って、それらの内部の導線２２も接続されるようになっている。このような構成により、電気ロースター１の組み立て状態においては、導線２２を介して下段ユニット２から中段ヒーター１６および上段ヒーター２０に電力を供給することができる。
【００２２】
このような電気ロースター１によれば、下段ユニット２と中段ユニット３とにそれぞれ調理対象物を載せて焼くことができる。このため、少ない占有面積で一度に多くの調理対象物を焼くことができるので、卓上等の狭いスペースで使用する場合に有利である。
【００２３】
更に、調理対象物の上下にそれぞれヒーターが位置するので、調理対象物を上下両面から加熱することができる。このため、焼いている途中で調理対象物を裏返す必要がないので、使い勝手が良い。
【００２４】
また、図１においては中段ユニット３の段数を１段としているが、この電気ロースター１では、下段ユニット２と上段ユニット４との間に、中段ユニット３を複数段重ねることもできる。よって、複数の中段ユニット３を用意しておけば、必要に応じて中段ユニット３の段数を増やして使用することにより、より多くの調理対象物を一度に焼くことができる。
【００２５】
そして、使用後に洗浄する場合には、下段ユニット２、中段ユニット３、上段ユニット４の各段に容易に分解することができるので、洗浄を容易に行うことができる。また、非使用時にも、各段毎に収納することができるので、狭いスペースにも収納することができる。
【００２６】
本実施形態では、下段ユニット２および中段ユニット３の切欠き部１４，１８は、それぞれ、本体５，１５とは別部材で構成された断熱部２３，２４に形成されている。断熱部２３，２４は、本体５，１５の構成材料（例えば金属材料）よりも、熱伝導率の低い材料（例えば石材、セラミックス等）で構成されている。これにより、切欠き部１４，１８に置いた串に熱が伝わりにくくすることができる。よって、串が手で持てないほどに熱くなるのを有効に防止することができる。
【００２７】
また、本実施形態では、焼き網７，１７を設けたことにより、焼き網７，１７の上に魚や塊肉などを載せて焼くこともできる。また、串焼きをする場合に、串が切欠き部１４，１８から外れても、串に刺した調理対象物が下の段に落下するのを防止することもできる。本発明では、この焼き網７，１７は無くてもよい。
【００２８】
また、本実施形態では、下段ヒーター６、中段ヒーター１６および上段ヒーター２０は、いずれもＵ字状をなしているが、本発明ではこのような形状に限定されるものではない。例えば、これらのヒーターは、真っ直ぐな形状、四角形、波形などいかなる形状でもよい。また、各段のヒーターの形状が異なっていてもよい。
【図面の簡単な説明】
【００２９】
【図１】本発明の電気ロースターの実施の形態を示す分解斜視図である。
【符号の説明】
【００３０】
１    電気ロースター
２    下段ユニット
３    中段ユニット
４    上段ユニット
５    本体
６    下段ヒーター
１４  切欠き部
１５  本体
１６  中段ヒーター
１８  切欠き部
２０  上段ヒーター
２１  支柱
２２  導線
２３，２４  断熱部